Podtech/llm-jp-corpus-v4-ja_patent huggingface dataset:
(57)【要約】      （修正有）【課題】マニキュア液の入った容器などのマニキュア容器傾け器を提供する。【解決手段】立体的なスポンジ体１の上面に、底面が楕円すり鉢状からなる大の穴２と、底面が楕円すり鉢状からなる小の穴３を設け、大の穴をマニキュア液の入った容器６収容用とし、小の穴をブラシ８側ふた７収容用とする。そのスポンジ体は上面を開口した箱状ケース４にはめ込み、ケースの底面に滑り止め５を設けたことを特徴とするマニキュア容器傾け器。【選択図】図４
2012130635.tif 000002
【特許請求の範囲】
【請求項１】
スポンジ体の上面に、底面が楕円すり鉢状からなる大の穴と、底面が楕円すり鉢状からなる小の穴を設け、大の穴をマニキュア液の入った容器収容用とし、小の穴をブラシ側ふた収容用とし、そのスポンジ体は上面を開口した箱状ケースにはめ込み、ケースの底面に滑り止めを設けたマニキュア容器傾け器。
【発明の詳細な説明】
【技術分野】
【０００１】  本発明は、マニキュア液の入った容器などのマニキュア容器傾け器に関するものである。
【背景技術】
【０００２】  従来、マニキュア容器は、液体を内蔵し、ふたの内側下面にブラシを固定している。マニキュアを塗るためには、片手でブラシが固定されたふたを持ち、もう一方の手でマニキュア液の入った容器を持ち、片手で容器を傾けながら、他の片手に持ったブラシに液を浸け、容器をテーブルなどの台上へ置き、爪にマニキュアを施しており、常に両手を使う必要があった。
【発明の概要】
【発明が解決しようとする課題】
【０００３】  マニキュア液の残量により、容器を持つ側の手は、「持つ、傾ける、置く」といった一連の動作を繰り返さなければならない。
ブラシ側のふたは、上面に立体的な装飾を設けているものが多く、そのままではテーブルなどの台上に、ふたを逆さまにして立てるなどの安定して置くことができない。
それぞれを固定して置けないことで、両手が自由にならず、次のマニキュア液を塗るまでの間に時間を要し乾いてしまったり、塗り立ての爪に容器が触れて剥げてしまうなど、マニキュア塗布をきれいに仕上げることが難しかった。
本発明は、以上の問題点を解決するためになされたものである。
【課題を解決するための手段】
【０００４】    立体的なスポンジ体の上面に、底面が楕円すり鉢状からなる大の穴と、底面が楕円すり鉢状からなる小の穴を設け、大の穴をマニキュア液の入った容器用とし、小の穴をブラシ側ふた用とする。そのスポンジ体は上面を開口した箱状ケースにはめ込み、ケースの底面に滑り止めを設ける。
以上の構成よりなるマニキュア容器傾け器。
【発明の効果】
【０００５】  従来、マニキュア液の入った容器を固定して置けなかったことを、本発明によって可能にし、容易にマニキュアを塗布することができる。
本発明は、マニキュアに限らず容器を傾けて固定することができる。
【図面の簡単な説明】
【０００６】
【図１】本発明の要部の断面図
【図２】本発明の断面図
【図３】本発明の斜視図
【図４】本発明の使用状態を示す斜視図
【発明を実施するための形態】
【０００７】  以下、本発明の実施の形態を説明する。
（イ）直方体状の厚みのある固めのスポンジ体（１）の上面に、楕円すり鉢状の大凹部（２）と、楕円すり鉢状の小凹部（３）を設ける。スポンジ体は、発泡ウレタン材又はシリコン材、ゴム材からなる。
（ロ）スポンジ体（１）と同じ高さの上面を開口した直方体箱状のプラスチック又は金属からなるケース（４）の内部に、スポンジ体（１）をはめ込む。
（ハ）ケース（４）の底面に、ゴム材等のすべり止め（５）を設ける。
本発明は以上のような構造である。
本発明を使用するときは、容器（６）を大凹部（２）へ容器上部を手前側に傾けて立て、この時、容器（６）内の液体残量に合わせて、ブラシ（８）がマニキュア液に浸しやすい角度にあわせて容器（６）を傾斜させながら立てておくことができる。
これにより、容器（６）やふた（７）を手に持ち替える一連の動作がなくなり、時間がかからず、かつ、容器（６）やふた（７）に爪が触れてしまうこともなくなる。
ふた（７）は、容器上面に装飾を設けているものでも、小凹部（３）へ持ち手を下にしてまっすぐ立てて置くことができる。
【符号の説明】
【０００８】  １  スポンジ体、２  大凹部、３  小凹部、４  ケース、５  すべり止め、６  容器、  ７  ふた、８  ブラシ
【図１】
2012130635.tif 000003
【図２】
2012130635.tif 000004
【図３】
2012130635.tif 000005
【図４】
2012130635.tif 000006
(57)【要約】【課題】ストッパ−を挟むようにして持ち上げる方法では持ち上げるテコが曲がったり引っ掛かったりして捕獲オリの開錠機能が充分発揮できずテコの取り付け溶接等も歪の発生で精密加工を必要していた。【解決手段】テコに替えて滑カムの回転でストッパ−をせり上げる方法であるためクランクを開放するためア−ムとストッパ−の連携がスム−スになり精密加工が不要になることでコスト削減も出来捕獲オリを斜面に設置した時ア−ムの開錠に必要な遥動振幅を調整できる利点もできた。【選択図】図１
2012130276.tif 000002
【特許請求の範囲】
【請求項１】
アーム遥動の回転体に同調する滑カムでストッパ−をせり上げる捕獲オリ開錠装置
【発明の詳細な説明】
【技術分野】
【０００１】
本発明は、害獣捕獲オリのトビラを落下さすための装置でスプリングの力で引き付けたクランクを停止さすストッパ−を回転体に取り付けた滑カムで跳ね上げ、スプリングで緊張するクランクを開放してトビラを落下さす開錠システムに関するものである。尚ストッパ−やクランク、ピンやトビラが落下する事等は出願番合（特願2010-279617）と同一である。
【背景技術】
【０００２】
今までに製品化したもので回転体に直角に取り付けたテコがストッパ−を跳ね上げる方式の装置ではストッパ−回転軸を中心にして左右に延びるストッパ−を軸中心左右の上下から挟むようにテコを伸ばし回転体から垂下に伸びるア−ムを獲物が前後方向に移動さす時の正逆方向の回転でストッパ−を上方向に跳ね上げてクランクを開放していたがストッパ−の回転軸から左右の距離をストッパ−可動角度の関係から大きく出来ず回転体から伸びるテコも長くする必要から獲物の暴れる力でア−ムの回転が90度近くまで振られるとテコが曲がり引っ掛かるなどして装置の機能を発揮できない事態があった。
テコの位置決めと角度はテコが長いので溶接による歪の発生等で精密が要求されるため製造コストがかさむ等の問題があった。
【０００３】
この改善策として左右に大きく下向きに曲面したカムを左右対称にしてその表面を滑らかに作りストッパ−に調整ボルトを左右対称になるようにしてボルト先端が滑カムの回転とともに滑りながらストッパ−が競り上がるようにする。この結果滑カムの正逆回転でいずれの場合もストッパ−を上方向へ突き上げることが可能で回転が90度になってもカムはストッパ−の下側にあり曲がりや引っ掛かかりはない。
【発明の概要】
【発明が解決しようとする課題】
【０００４】
解決しようとする問題点は、アームが大きく動くときテコが曲げられたり引っかかったりし製造時にテコの溶接角度を精密にする必要に迫られていた。
【課題を解決するための手段】
【０００５】
本発明は、左右がＲ状の滑カムを回転体に取り付け、ストッパ−下に出た調整ネジを滑カムの回転でせり上げる方式であるのでアームが大きく振れて滑カムが90度近く回転しても障害が無い。ストッパ−が調整ネジで調整されることから滑カムの回転軸への取り付けも精密さを必要としないので製造コストが引き下げられるとともにオリを傾斜地設置でア−ムの振幅の調整が出来ることからア−ムとストッパ−の連携がスム−ズで害獣捕獲オリの開錠が確実になることを最も主要な特徴とする。
【発明の効果】
【０００６】
本発明の遥動型滑カム開錠システムではスプリングで引き付けたクランクを停止さしているストッパ−を両端にＲをつけた滑カムが回転しながらストッパ−を押し上げるため曲がりや引っ掛かりなどのトラブルが発生せずクランクの緊張解除がスム-ズでありボルトでストッパ−と滑カムの間隙調整ができるので製造時にさほどの精密さが要求されないことからコスト低減ができる等の利点がある。調整ボルトを設けたことにより捕獲オリの設置が傾斜してもアームの垂下位置がオリ中央に来ない場合でもアームの振幅を均等に調整出来ることから害獣捕獲オリの開錠システムとして完成提供出来る。
【図面の簡単な説明】
【０００７】
【図１】図１は捕獲オリの遥動型回転滑カム開錠システム全体の実施方法を示した説明図である。（実施例１）
【図２】図２はストッパ−の停止状態の実施方法を示した説明図である。（実施例２）
【図３】図３はストッパ−がせり上げられた状態の実施方法を示した説明図である。（実施例3）
【発明を実施するための形態】
【０００８】
獲物が図３に示すように仕掛け糸８またはエサ棒９に接触してアーム７を前後方向に動かした時滑カム4も回転してストッパ−３の調整ボルト１０が滑カムの表面を滑りながらせり上がりストッパ−３が持ち上げられスプリング５で引き付けたクランク６が開放されトビラを載せたピン11が引き抜かれトビラが落下する開錠装置である。
捕獲オリを斜面に設置した場合アームの下端はオリ中央よりずれるため開錠に必要な振幅の距離が偏るきらいがあったが調整ボルトで振幅を均一に出来るためア−ム７とストッパ−３の連携作動がスム−ズな開錠装置が完成した。
【実施例１】
【０００９】
図１は、本発明装置の１実施例の鳥瞰図であって滑カムの回転でストッパ−が持ち上げられクランクを開放してトビラが落下する直前である。
【実施例２】
【００１０】
図２の実施例は、アーム、滑カムが静止状態をしめす断面図である。
【実施例３】
【００１１】
図３は本発明装置の３実施例でア−ムが獲物に動かされストッパ−が持ち上げられた断面図である。
【産業上の利用可能性】
【００１２】
アームを前後に動かして開錠する捕獲オリ仕掛けで滑カムとストッパ−の連携がスム−ズであり製作コストの低減とオリを斜面に設置した時ア−ムの振幅調整が出来ることから開錠を確実にするシステムとして完成度の高い害獣捕獲オリの開錠システムを提供できる。
【符号の説明】
【００１３】
１    回転体
２    ストッパ−回転軸
３    ストッパ−
４    滑カム
５    スプリング
６    クランク
７    アーム
８    仕掛け糸
９    エサ棒
１０  調製ネジ
１１  ピン
【図１】
2012130276.tif 000003
【図２】
2012130276.tif 000004
【図３】
2012130276.tif 000005
(57)【要約】      （修正有）【課題】電気自動車が作り出した電気を発電機の電気として色々な場所で使用できる様にする。【解決手段】蓄電池１により電気モーター３を回転させる。この電気モーター３の回転を発電機モーター４に伝動させて、発電機モーター４を回転させ電気を作り出す。この電気を蓄電池１に送電し充電をする。この充電された蓄電池１の電気を走行時には自動車の走行用の電気モーター７に送電し走行をする。そして駐車時には発電機の電気として、配電盤８に送電し電気を利用する。色々な利用方法として、屋外又は住居などに使用する。【選択図】図１
2012130234.tif 000002
【特許請求の範囲】
【請求項１】
蓄電池（１）により、電気モーター（３）を回転させる。この電気モーター（３）の回転を、回転伝動ベルト（５）により、発電機モーター（４）に回転を伝動する。そして、発電機モーターを回転させて電気を作り出す。この電気を蓄電池（１）に送電し充電をする。この充電をした蓄電池の電気を走行用の電気モーターに送電し走行する。
蓄電池（１）と電気モーター（３）の間に充電加減スイッチ（２）を設ける。
【請求項２】
この充電をした蓄電池の電気を、発電機かわりの電気として配電盤（８）に送電する。そして色々な屋外及び住居に使用する。このために車体の一部に蓄電池からの送電用の配電盤（８）を接続のしやすい電気取り出し口として、コンセント形態にして車体に設ける。
【発明の詳細な説明】
【技術分野】
【０００１】電気自動車の電気を発電機目的の電気として、色々な利用をするものです。
走行時には走行用電気として送電をする。駐車時には発電機の電気として送電をする。
これによりＣＯ２削減をするものです。
【背景技術】
【０００２】従来自動車はエンジン力で走行していたがＣＯ２の削減を目的として、電気力で走行する電気自動車が作りだされた。
この電気自動車としてＨＶ車とＥＶ車があります。
【先行技術文献】
【０００３】従来ＥＶ車ならば、蓄電池により走行用の電気モーターを回転させ走行している。
そして、蓄電池量が少なくなると蓄電池を取り替える。又は充電をする。
ＨＶ車ならば、蓄電池と走行用の電気モーターで走行をする。そして蓄電池量が少なくなると、ガソリンエンジンにより走行し、同時に充電をしながら走行をする。
ＨＶ車もＥＶ車も、何時、何処であっても、駐車時又は走行時であっても電気を作り出して、充電を即座にする事が出来ない欠点があります。
【発明の概要】
【課題を解決させるための手段】
【０００４】本発明の電気自動車の電気を発電機かわりの電気として利用するには、走行時であっても、駐車時であっても、何時、何処でも電気を持続的に作り出し、充電を即座に出来る様にする。これにより発電機の電気として目的が達せられます。
【発明の効果】
【０００５】電気自動車を、電気自動車と発電機かわりとして使い分ける事により、尚一掃のＣＯ２削減に効果があります。
電気自動車としての多目的利用範囲がより広くなる。
即座に電気が作り出され充電も早くできる。
従来のガソリン車並みの走行距離と走行時間が得られる。
【発明を実施するための形態】
【０００６】蓄電池（１）により、電気モーター（３）を回転させる。この電気モーター（３）の回転を、回転伝動ベルト（５）により、発電機モーター（４）に回転を伝動する。そして、発電機モーター（４）を回転させて電気を作り出す。
この電気を蓄電池に送電し充電をする。この充電をした蓄電池の電気を走行用の電気、モーター（７）に送電して、電気モーター（７）を回転させて走行する。又は発電機の電気として配電盤（８）に送電する。
充電加減スイッチ（２）は、電池量が多い時少ない時に電気モーター（３）を回転させたり、止めたりするスイッチです。
発電機として電気を利用するには、蓄電池（１）から配電盤（８）に送電する。配電盤（８）をコンセントにして電気取り出し口として車体の一部に設ける。
【図面の簡単な説明】
【０００７】
【図１】配線（６）の電気の流れを矢印で示した図面です。
【符号の説明】
【０００８】（１）      蓄電池
（２）      充電加減スイッチ
（３）      電気モーター
（４）      発電機モーター
（５）      回転伝動ベルト
（６）      配線
（７）      走行用電気モーター
（８）      配電盤
【図１】
2012130234.tif 000003
(57)【要約】      （修正有）【課題】カルガモの親子の歩く姿がとてもかわいいので、カルガモの親のそばにカルガモの子を付き添わせ対にして中にあんこを入れて、たい焼き風にしたカルガモ親子焼きを提供する。【解決手段】カルガモの親１のそばにカルガモの子２を付き添わせ対にして中にあんこを入れて、たい焼き風にしたカルガモ親子焼きを特徴とする。【選択図】図１
2012130330.tif 000002
【特許請求の範囲】
【請求項１】
カルガモの親（１）のそばにカルガモの子（２）を付き添わせ対として中にあんこ（３）を入れて、たい焼き風にしたカルガモ親子焼きである。
【発明の詳細な説明】
【技術分野】
【０００１】  この発明は、カルガモの親のそばにカルガモの子を付き添わせ対にして中にあんこを入れて、たい焼き風にしたカルガモ親子焼きに関するものである。
【背景技術】
【０００２】  従来、たい焼きには魚の形をしたあんこ入りたい焼きはあったが動物でカルガモ親子の姿をした対のものなどはなかった。
【発明の概要】
【発明が解決しようとする課題】
【０００３】  従来のたい焼きなどには一匹の魚でしか形にはなく趣もなく物足りなさがあった。本発明は、このような物足りなさをなくすためになされたものである。
【課題を解決するための手段】
【０００４】  カルガモの親（１）のそばにカルガモの子（２）を付き添わせ対として、中にあんこ（３）を入れたものである。
本発明は、以上の構成よりなるカルガモ親子焼きである。
【発明の効果】
【０００５】  カルガモ親子焼きは、見た目にも親子の愛情が感じられ子供から大人まで楽しめる和菓子として喜ばれ一風違った趣のあるものとして味わえる。
【図面の簡単な説明】
【０００６】
【図１】本発明の斜視図である。
【図２】本発明のＡ−Ａ断面図である。
【発明を実施するための形態】
【０００７】  以下、本発明を実施するための形態について説明する。
カルガモ親子焼きは、カルガモの親のそばにカルガモの子を付き添わせ対として中にあんこを入れて、たい焼き風にしたものである。
本発明は、以上のような構造である。
これを食するときは、見た目を楽しみながら一風違った趣のある和菓子として食べられる。
【符号の説明】
【０００８】  １  カルガモの親
２  カルガモの子
３  あんこ
【図１】
2012130330.tif 000003
【図２】
2012130330.tif 000004
(57)【要約】【課題】本発明は一度消したタバコを再飲するための喫煙具でタバコ再飲カートリッジを提供する。【解決手段】タバコと同じサイズの通気孔の空いた円筒状の筒の片方にタバコの差込口を設け、もう一方に吸引口を設けた、喫煙後のタバコを再飲するための喫煙具。【選択図】図１
2012130328.tif 000002
【特許請求の範囲】
【請求項１】
タバコと同じサイズの通気孔の空いた円筒状の筒の片方にタバコの差込口を設け、もう一方に吸引口を設けた、喫煙後のタバコを再飲するための喫煙具。
【発明の詳細な説明】
【技術分野】
【０００１】    本発明は一度消したタバコを再飲するための喫煙具でタバコ再飲カートリッジに関するものである。
【背景技術】
【０００２】  従来は、喫煙後のタバコは吸殻として捨てられていた。
しかし、吸殻には以外にタバコの葉が残っている場合が多いのだが、再度、火を付けて吸おうとすると、タバコが短いため、火が手元から近く熱い。
また、吸引する煙も熱いため、喫煙後のタバコを再飲するのは困難であった。
他方、２０１０年１０月１日からのタバコ増税により愛煙家にとってはタバコも節約の対象となっている。
本発明は、従来捨てられていた喫煙後のタバコを再度吸うことで得られる節煙効果とタバコの葉を余す事無く吸うすものである。
また、サイズをタバコと同じサイズとすることで、タバコケースに入れる事を可能としタバコ１本のスペースがあれば常時携帯することが可能となる。
【発明の概要】
【発明が解決しようとする課題】
【０００３】  喫煙後のタバコを見ると、タバコの葉は以外に残っているものである。
それを再飲するためには、短いタバコへの着火による手元の熱さ、火種が近いことによる再飲時の煙の熱さが課題であった。
本発明は、以上の問題点を解決するためになされたものである。
【課題を解決するための手段】
【０００４】  円筒状の筒の一方にタバコの差込口、もう一方に吸引口を設け、その円筒内に通気孔を通す。
喫煙後のタバコを、差し込み口に差すことで、再度の喫煙が可能となる。
また、これをタバコと同じサイズとすることで、タバコケースに常時携帯でき、必要時に再飲することが可能となる。
以上の構成によりなるタバコ再飲カートリッジ。
【発明の効果】
【０００５】  従来、タバコの葉が残っているまま捨てられていたものを、熱い思いをすること無く、再度吸うことができる。
本発明は、無駄なくタバコを吸うことができ、タバコケースに常時携帯が可能で、かつタバコ増税後の節約にも繋げることができる。
【図面の簡単な説明】
【０００６】
【図１】  本発明の斜視図である。
【図２】  本発明の胴体部の断面図である。
【発明を実施するための形態】
【０００７】  以下、本発明の実施の形態を説明する。
（イ）通気孔（１）の空いた円筒状のカートリッジ（２）の片方に円筒状のタバコの差込    口（３）を設ける。
（ロ）カートリッジ（２）のもう一方に吸引口（４）を設ける。
本発明は以上のような構造である。
本発明を使用する際には、喫煙後のタバコを差込口（３）へ差し込んで点火し、吸引（４）からタバコの煙を通気孔（１）を通して吸い込む。
【符号の説明】
【０００８】１  通気孔
２  カートリッジ
３  差込口
４  吸引口
【図１】
2012130328.tif 000003
【図２】
2012130328.tif 000004
(57)【要約】      （修正有）【課題】苗を植えた時と、土が乾燥したときに、早く多量の水を根元に低圧で、潅水することと、畝の巾に合わせて潅水できること。【解決手段】ホース又はパイプ４から流し落とす水を土の表面に流す直前で、板に当て、水勢を取ってから、潅水する。穴を開けた上の円盤１をパイプ４に固定し、その下にやや小さい円盤６を上下にスライドするように保持して、下の円盤６を適当に下げて、潅水すると狭く潅水し、上に上げると、広く潅水することができる。【選択図】図１
2012130329.tif 000002
【特許請求の範囲】
【請求項１】
中央に穴を開けた円盤を約４５度に傾けたパイプの先端部分に水平に保持金具と樋状金具で連接固着しその円盤の下にやや小さい円盤を重ね下の円盤の底面に保持棒を固着し、曲げて、パイプに沿って延長し、パイプと樋状保持金具と保持金具をホースバンドで締め付け固定する潅水巾調節低圧潅水器。
【請求項２】
中央に穴を開けた円盤を、パイプの先端又は、先端に装着するアタッチメントに約４５度の角度で固定し、その下にやや小さい円盤を重ねて裏面に保持棒を固着し約４５度の角度に曲げて適当に長くし、アタッチメントの溝又は穴に入れて通しネジで締め付けて上下２枚の円盤の間隔を保持する事を特徴とした潅水巾調節潅水器。
【発明の詳細な説明】
【技術分野】
【０００１】  本発明は農業における潅水に関するものである。
【背景技術】
【０００２】  植物の苗を植えた後は、苗の根を根付かせるためには、潅水が、欠かせない。この場合潅水の水圧が強いと、土を掘り、根を浮かしたり、葉に、土をつけたりする。
このため、作業者は、水量を少なくして細心の注意を払って潅水をしていた。
（先行技術文献１参照）
【先行技術文献】
【０００３】
【特許文献１】  特許申請２０１０−２４９１２０
【発明の概要】
【発明が解決しようとする課題】
【０００４】  特許申請中の液肥混合低圧潅水器の更なる改良に関するものである。
低圧潅水器の先端の水平板は、低圧に潅水できるが、水量を多くすると水の広がりが、大きすぎて、畝巾が狭い場合に対応できない欠点があった。
【課題を解決する為の手段】
【０００６】  水を流れ落とすパイプの先端に２枚の水平板を重ね間隔を調整可能に保持する。
上の水平板の直径は下の水平板より大きく、上の水平板の中央に適当な穴を明ける。
以上の構成よりなる潅水器。
【図面の簡単な説明】
【０００７】
【図１】第１例斜視図
【図２】第１例立断面図
【図３】第２例立断面図
【図４】第２例１部断面図
【発明を実施するための形態】
【０００８】  以下本発明の実施の形態を説明する。
（イ）約４５度に傾斜して水を流下させるパイプ（４）の先端に２枚の円盤（１）（６）を水平に保持する。
（ロ）上の円盤（１）は中央に適当な穴をあけ後部を４５度上に曲げ、裏面に保持金具（２）の一端を固着し、別の一端は、パイプに合わせた樋状金具（３）の外側に固着する。
（ハ）下の円板（６）の直径は上の円盤（１）より小さくし、底面に保持金具（７）を固着し上に曲げて樋状金具（３）より長くする。
（ニ）流下パイプ（４）と樋状保持金具（３）と下の円盤（６）の保持金具（７）をホースバンド（５）で巻き、締め付ける。
（ホ）次に［図３］に示す、アタッチメントタイプの例であり、アタッチメント（９）の前部に円盤（８）と、後部に保持金具（７）を挿むタブ（１１）を１体成型する。この場合下の円盤（６）を保持する保持金具（７）は１本としタブ（１１）の溝に通し、ネジ（１０）とナット（１２）で締め付け固定する。
本発明は以上のような構造である。
本発明を使用する場合、下の円盤の保持金具（７）は、スライド可能であり、適当な間隔で、留め置くことができる。下の円盤（６）を下げた位置で使用すると、流下水の約半分は、上の円盤（１）の穴から下の円盤に流れ、上下２枚の膜状に成って流れ落ちるので流下水の落下点は、２重の円になり１点に集中せず分散されるから、狭い面積でも低圧潅水が可能で土を掘り返したりはしない。下の円盤をスライドし、上に密着させると、穴を閉じた状態になり、落下水は一枚の膜状に広がり広い巾の低圧潅水となる。
【符号の説明】
【０００９】（１）上部円盤、（２）保持具、（３）樋状金具、（４）流下パイプ、（５）ホースバンド、（６）下部円盤、（７）下部円盤の保持具、（８）１体化したアタッチメントの円盤部分、（９）アタッチメント、（１０）締め付けネジ、（１１）締め付けタブ。
【図１】
2012130329.tif 000003
【図２】
2012130329.tif 000004
【図３】
2012130329.tif 000005
【図４】
2012130329.tif 000006
(57)【要約】【課題】本発明は、同一栽培槽内にあっても、成長段階が異なり、かつ、同一作業端で収穫できる手段を提供するものである。【解決手段】本発明は、栽培槽内で浮遊マットに植物ポット挿入して植物を栽培する水耕式植物栽培方法にあって、浮遊マットを環状に連結し、栽培槽の一端に前記浮遊マットを引寄せ、植付け、世話、収穫可能とした植物ポットを挿入する浮遊マットを紐で環状に連結する水耕式植物栽培方法である。浮遊マットを環状に連結する事で任意の浮遊マットを作業場所に引き寄せ、必要な作業ができるようにした。【選択図】図1
2012130318.tif 000002
【特許請求の範囲】
【請求項１】
栽培槽内で浮遊マットに植物ポットを挿入して植物を栽培する水耕式植物栽培方法にあって、浮遊マットを環状に紐で連結し、栽培槽の一端に前記浮遊マットを引寄せ、植付け、世話、収穫可能とした植物ポットを挿入する浮遊マットを紐で環状に連結する水耕式植物栽培方法。
【発明の詳細な説明】
【技術分野】
【０００１】
本発明は、水耕式栽培による野菜の育成技術に属する。
【背景技術】
【０００２】
水耕栽培において、植物根への酸素の供給を促進するため植物ポットを培養液に浮遊させた状態で保持する方法が種々提案されている。特開2000-300095、特開平10-056892には浮遊マットに穴を開け、その穴に植物ポットを挿入支持させる方法が開示されている。特開平10-271925には作業を栽培槽の一端で行えるよう最初の浮遊マットに槽長以上の長さの紐を付し、浮遊マットを引き寄せられるようにしたものが開示されている。いずれの手段も所定の栽培槽内の植物は同一成長段階にあり、同一栽培槽内の植物は同時に収穫するものである。
同一栽培槽、同一浮遊マット内にあっても、成長段階が異なることがあり、出荷可能となった植物だけを作業端に引き寄せ収穫できる手段が求められていた。
【先行技術文献】
【特許文献】
【０００３】
【特許文献１】特開2000-300095
【特許文献２】特開平10-056892
【特許文献３】特開平10-271925
【発明の開示】
【発明が解決しようとする課題】
【０００４】
本発明は、同一栽培槽内にあっても、成長段階が異なる場合があっても、出荷可能となった植物を選ぶ手段を提供するものである。
【課題を解決するための手段】
【０００５】
本発明は、栽培槽内で浮遊マットに植物ポットを挿入して植物を栽培する水耕式植物栽培方法にあって、浮遊マットを環状に紐で連結し、栽培槽の一端に前記浮遊マットを引寄せ、植付け、世話、収穫可能とした植物ポットを挿入する浮遊マットを紐で環状に連結する水耕式植物栽培方法である。浮遊マットを環状に連結することで任意の浮遊マットを作業場所に引き寄せ、必要な作業ができるようにした。
【発明の効果】
【０００６】
本発明は、水耕式植物栽培方法で植物ポットを浮遊させる浮遊マットを環状に連結したため、任意の浮遊マットを作業場所に引き寄せ、植え付け、収穫その他植物の生育状況に応じた必要な作業が可能となる。
【図面の簡単な説明】
【０００７】
【図１】は、栽培槽に浮遊マットが環状に連結している状態を示す概念図である。
【図２】は、栽培槽に浮遊マットが環状に連結している状態を示す他の概念図である。
【図３】は、各浮遊マット上の植物の育成状態を示す。
【発明を実施するための形態】
【０００８】
以下、本発明を図により詳細に説明する。
図1は、栽培槽に浮遊マットが環状に連結している状態を示す平面概念図である。栽培槽に一ないし複数の植物ポットを挿入した浮遊マットが栽培槽の一端である作業台から他端を経由して作業台まで紐で環状に連結されている。図では個々の植物ポットは図示していない。栽培槽の他縁側にはローラーを設け、環状に連結された浮遊マットがより滑らかに移動できるようにしておくこともできる。
この場合、浮遊マットは環状に連結されているため、作業台に順次引寄せることができる。原則として環状の浮遊マットに順次成長するよう植付け、作業台から作業台まで一巡する間に出荷できる大きさに育つよう配列される。出荷可能な植物が存在する浮遊マットを作業台に引き寄せることで出荷に必要な数の植物を得ることができる。
この場合一巡する環に配置された植物ポットの植物の成長段階はバラバラの状態であってもよい。また必ずしも同じ速度で成長するとは限らないが、任意の浮遊マットを作業台に引き寄せ、選択できるので問題とはならない。
また、障害が発生した場合でも、その浮遊マットを作業台に引き寄せ必要な処置をすることができる。
【０００９】
図２は、作業台を栽培槽の両縁端に設けた栽培槽に浮遊マットが環状に連結している状態を示す平面概念図である。図では浮遊マットと植物ポットを一対一にしてある。二重円で表現されているが、中心の円が浮遊マットと植物ポットを表し、外側の円が植物を表している。
この場合、植物の採集は両側の作業台で行う。採集後の植物ポットに苗を植付け、他端側に移動させる。植物の生育は栽培槽の一端から他端に向かう間になされる。この方法の利点は、大きく育った植物の間に苗を置くことができるため栽培槽の面積が無駄なく活用できる点にある。
【００１０】
図３は個々の浮遊マットに挿入された植物ポットの植物の生育状態を示す図である。図３ａは図１に示す実施例、図３ｂは図２に示す実施例の生育状態を示している。
各浮遊マットは紐で連結され、図1に示す実施例においては栽培槽の一端にのみ設けた作業台から他端を経由して一巡する間に順次成長するように配置される。図２に示す実施例においては、一端の作業台から他端の作業台の間で順次成長するように配置されるのは前述したとおりである。
【００１１】
浮遊マットは、浮遊可能な発泡プラスチック（例えば発泡ポリスチレン）からなり、その上面には固形培地を充填した植物ポットが挿入する孔が複数設けられているのは従来技術と同様である。
【産業上の利用可能性】
【００１２】
水耕栽培を行う植物工場などで利用可能である。
【符号の説明】
【００１３】
１  栽培槽
２  浮遊マット
３  植物ポット
４  紐
５  植物
６  作業台
【図１】
2012130318.tif 000003
【図２】
2012130318.tif 000004
【図３】
2012130318.tif 000005
(57)【要約】【課題】全閉型の巻線型回転電機で、コレクタリングとブラシが摺動する部分を十分に冷却可能な風が当たる構造とする。【解決手段】巻線型回転電機は、密閉されたハウジング１３と、ハウジング１３内に固定された固定子と、固定子内部で回転可能で回転子巻線を備えた回転子と、ハウジング１３に固定されて軸方向に並んで配列された導電性の複数のブラシ１４と、回転子に固定されて前記回転子巻線に電気的に接続されて前記ブラシ１４と摺動するコレクタリング１２と、回転子に固定されてハウジング１３内で、ブラシ１４を軸方向にはさむように配置された主ファン１６および補助ファン１７と、を有する。【選択図】図１
2012130168.tif 000002
【特許請求の範囲】
【請求項１】
密閉されたハウジングと、
前記ハウジング内に固定された固定子と、
前記固定子内部で回転可能で回転子巻線を備えた回転子と、
前記ハウジングに固定されて軸方向に並んで配列された導電性の複数のブラシと、
前記回転子に固定されて前記回転子巻線に電気的に接続されて前記ブラシと摺動するコレクタリングと、
前記回転子に固定されて前記ハウジング内で、前記ブラシを軸方向にはさむように配置された第１および第２のファンと、
を有すること、を特徴とする巻線型回転電機。
【請求項２】
前記第１および第２のファンは前記ブラシに向かって風を送るような向きに配置されていること、を特徴とする請求項１に記載の巻線型回転電機。
【発明の詳細な説明】
【技術分野】
【０００１】
この発明は、巻線型回転電機に関し、特に、ハウジング内にファンを備えた全閉型の巻線型回転電機に関する。
【背景技術】
【０００２】
巻線型回転電機においては、回転子巻線に電流を供給または回転子巻線から電流を取り出すために、回転子とともに回転するコレクタリングが配置され、このコレクタリングに摺動するブラシが、固定子側に固定して取り付けられている。コレクタリングとブラシとの間では、機械的に摺動しながら電流が流れるので、発熱する。全閉型の巻線型回転電機においては、固定子およびブラシなどがハウジング内に密閉されており、ハウジング内部を冷却するために、回転子とともに回転するファンが取り付けられている（特許文献１および２参照）。
【先行技術文献】
【特許文献】
【０００３】
【特許文献１】特開２００９−３０３３５６号公報
【特許文献２】特開平１０−９４２２１号公報
【発明の概要】
【発明が解決しようとする課題】
【０００４】
ハウジング内に密閉された空気はファンによって流れるが、コレクタリングとブラシが摺動する部分を十分に冷却可能な風が当たる構造とするのが困難であった。
【０００５】
この発明は従来技術におけるかかる課題を解決するためのものであって、全閉型の巻線型回転電機で、コレクタリングとブラシが摺動する部分を十分に冷却可能な風が当たる構造とすることを目的とする。
【課題を解決するための手段】
【０００６】
上記目的を達成するために、本発明に係る巻線型回転電機は、密閉されたハウジングと、前記ハウジング内に固定された固定子と、前記固定子内部で回転可能で回転子巻線を備えた回転子と、前記ハウジングに固定されて軸方向に並んで配列された導電性の複数のブラシと、前記回転子に固定されて前記回転子巻線に電気的に接続されて前記ブラシと摺動するコレクタリングと、前記回転子に固定されて前記ハウジング内で、前記ブラシを軸方向にはさむように配置された第１および第２のファンと、を有すること、を特徴とする。
【発明の効果】
【０００７】
この発明によれば、全閉型の巻線型回転電機で、コレクタリングとブラシが摺動する部分を十分に冷却可能な風が当たる構造とすることができる。
【図面の簡単な説明】
【０００８】
【図１】本発明に係る巻線型回転電機の一実施形態の要部上半断面正面図である。
【図２】図１の巻線型回転電機の軸方向断面図である。
【発明を実施するための形態】
【０００９】
以下に、図面を参照して、本発明に係る巻線型回転電機の一実施形態を説明する。図１は本発明に係る巻線型回転電機の一実施形態の要部上半断面正面図である。図２は図１の巻線型回転電機の軸方向断面図である。
【００１０】
回転軸１１の反負荷側端部近くにコレクタリング１２が、回転軸１１とともに回転するように取り付けられている。３本のコレクタリング１２が、互いに軸方向に間隔をあけて配置され、各コレクタリング１２は回転軸１１の円周方向に延びている。
【００１１】
回転軸１１の負荷側（図１の右側）には、回転軸１１とともに回転する回転子巻線を備えた回転子（図示せず）が取り付けられている。回転子の半径方向外側は回転しない固定子（図示せず）で囲まれている。固定子はハウジング１３内でハウジング１３に固定されている。
【００１２】
コレクタリング１２に摺動するブラシ１４がハウジング１３内でブラシホルダ１５を介してハウジング１３に固定されている。３個のブラシ１４が軸方向に互いに間隔をあけて配列されて１群のブラシ群を形成しており、二つのブラシ群が互いに周方向に間隔をあけて配置されている。これら６個のブラシ１４は、保守の便宜のために上半部にまとめて配置されている。
【００１３】
ハウジング１３は、回転軸１１やブラシ１４およびブラシホルダ１５を気密に覆っている。
【００１４】
回転軸１１には、この回転軸１１とともに回転する主ファン１６および補助ファン１７が取り付けられている。補助ファン１７は回転軸１１の反負荷側端部に取り付けられ、主ファン１６と補助ファン１７によってブラシ１４を軸方向にはさむように配置されている。主ファン１６および補助ファン１７の向きは、回転軸１１が順方向に回転したときに、ブラシ１４に向かって風が吹くように構成されている。
【００１５】
この実施形態によれば、回転軸１１の回転によって主ファン１６および補助ファン１７が回転し、主ファン１６による冷却風と補助ファン１７による冷却風とがブラシ１４の両側から挟み込むように吹く。これにより、ブラシ１４を確実に冷却することができる。
【００１６】
以上説明した実施形態は単なる例示であって、この発明はこれに限定されるものではない。
【符号の説明】
【００１７】
１１  回転軸
１２  コレクタリング
１３  ハウジング
１４  ブラシ
１５  ブラシホルダ
１６  主ファン
１７  補助ファン
【図１】
2012130168.tif 000003
【図２】
2012130168.tif 000004
(57)【要約】【課題】従来の傘の玉留の場合、傘の露先を玉留のリングに嵌める手順は、１．玉留のリングを手前に引く。２．露先をまとめる。３．玉留のリングを動かして、露先を玉留のリングに嵌める。となり、手順が多く手間がかかる。【解決手段】玉留にバネを実装して、玉留のリングが石突方向に力が加わるようにする。また、玉留のリングの先端部分を斜めにして、露先が当たると、玉留のリングは手元方向に力が加わるようにする。【選択図】図１
2012130480.tif 000002
【特許請求の範囲】
【請求項１】
玉留のリングが石突方向に力が加わるように設置したバネと、露先が当たると玉留のリングが手元方向に力が加わるように、先端が斜めになっている玉留のリングを有する事を特徴とした傘。
【発明の詳細な説明】
【技術分野】
【０００１】
本発明は、日傘または雨傘に関するものである。
【背景技術】
【０００２】
従来の傘の玉留は、手元部分にリングが付いており、このリングは手で上下に動かせる構造になっている。露先をこのリングに嵌める事により、露先をまとめた状態で固定する事ができる。
【発明の概要】
【発明が解決しようとする課題】
【０００３】
従来の傘の玉留の場合、傘の露先を玉留のリングに嵌める手順は、１．玉留のリングを手前に引く。２．露先をまとめる。３．玉留のリングを動かして、露先を玉留のリングに嵌める。となり、手順が多く手間がかかる。
【課題を解決するための手段】
【０００４】
図１は、この発明を示した断面図である。玉留にバネを実装して、玉留のリングが石突方向に力が加わるようにする。また、玉留のリングの先端部分を斜めにして、露先が当たると、玉留のリングは手元方向に力が加わるようにする。
【発明の効果】
【０００５】
本発明の玉留を備えた傘は、露先をまとめる途中で、露先が玉留のリングに当たると、玉留のリングが手元の方向に移動する。その後、露先を完全にまとめると、バネの力によって、玉留のリングは石突方向に移動して、玉留のリングに露先が嵌る。結果、玉留のリングを動かすことなく、露先をまとめるだけで、露先を玉留のリングに嵌めることができる。
【図面の簡単な説明】
【０００６】
【図１】図１はこの発明を示した断面図である。（実施例１）
【発明を実施するための形態】
【実施例１】
【０００７】
図１は、この発明を示した断面図である。玉留は、ベース（３ａ）、リング（３ｂ）、バネ（３ｃ）から構成されている。また、ベース（３ａ）、リング（３ｂ）は合成樹脂、バネ（３ｃ）は金属で生成されている。リング（３ｂ）は、上下に移動可能になっている。一方、ベース（３ａ）は中棒（１）と接着しており、リング（３ｂ）のストッパーとなっている。バネ（３ｃ）は、リング（３ｂ）と接触しており、リング（３ｂ）に石突方向の力を加えている。玉留の取り付け位置としては、リング（３ｂ）の先端が斜めになっており、この先端部分と露先の先端が当たるようにする。
【符号の説明】
【０００８】
１    中棒
２    露先
３a  ベース
３b  リング
３ｃ  バネ
４    手元
【図１】
2012130480.tif 000003
(57)【要約】      （修正有）【課題】種子を希望する間隔に正確に植える事が出来る種蒔シートを提供する。【解決手段】ペ−パ−１の糊面２に種子３を配置してその上にシ−ト４を貼り付けて形成した種蒔きシ−トとする。【選択図】図１
2012249627.tif 000002
【特許請求の範囲】
【請求項１】
ペーパ−に糊、または接着剤を塗りそこに種子を配置してその上にシ−トを貼り付けて形成した種蒔きシ−ト。
【請求項２】
ペーパ−の表面に種子を配置して、その上からペ−パ−に糊または接着剤を塗り貼り付けて形成した種蒔きシ−ト。
【請求項３】
文字、図形等を表示したシ−トに糊、または接着剤で糊付けしその部位に種子を貼り付けた種蒔き  シ−ト。
【請求項４】
分割線を入れた請求項１，２又は３記載の種蒔きシ−ト。
【発明の詳細な説明】
【技術分野】
【００１】本発明は種蒔き時、ミリ単位で正確に種植えが出来る種蒔きシ−トに関するものである
【背景技術】
【０００２】畑等での種蒔きは多くは人の手による、ばら蒔きである。
その欠点は種の無駄使い、種子間の間隔が小さくなる事による成長不良を招き、人の足腰えの負担が多く、広い畑では辛い作業と成ること。又耕作地を有効利用できない、と言う問題点があった。
【発明が解決しょうとする課題】
【０００３】（１）本発明は種を希望または理想間隔に植えることができる様にする。
（２）収穫量を増やす。
（３）作業者えの負担が少なく、種の必要量もすぐ分かり。同時に収穫量も正確に推定出来る様にするものである。
（４）プランタ−用には分割して使用する事ができる。
【課題を解決する為の手段】
【０００４】上記課題を解決する為に、本発明が提案する種蒔きシ−トは次の（１）〜（４）に、記載のものである。
（１）ペ−パ−に糊または接着剤を塗り、種子を配置しその上にシ−トを貼り付けて形成      した種蒔きシ−ト。（以下第１シ−トという）
（２）ペ−パ−の表面に種子を配置してその上に糊付けた紙を貼り付けて形成した種蒔き      シ−ト。（以下第２シ−トという）
（３）文字、図形等のシ−トに糊付けしその部位に種子を貼り付けた種蒔き  シ−ト。
（以下第３シ−トという）
（４）上記（１）（２）または（３）のシ−トに分割線を入れた  シ−ト  。
（以下第４  シ−トという）
ペ−パ−とは、パルプ、古紙どちらでも良く安価なもの、厚みは０．１から１ミリぐらいまでで、不織布でも良くサイズは３センチから６０ｃｍ位で用途によりかわる。
糊は、でんぷん系  もしくは紙用接着剤。
種子は、農作物、米  麦  野菜等全般、園芸用草花  木  芝生等全般をさす。
分割線はミシン目などで良い。種を植える間隔は５ミリ〜１００センチがよい。
【発明の効果】
【０００５】（１）種を希望または理想間隔に植える事がことができる。
（２）収穫量を増やせる。
（３）作業者えの負担が少なく種の必要量もすぐに分かり同時に収穫量も推定できる。
（４）プランタ−用には分割して使用できる。
【図面の簡単な説明】
【０００６】
【図１】本発明に係るその実施例１  Ａの断面図。
【図２】本発明に係るその実施例２の断面図、シ−トの上に種を置き糊着けたシ−トを貼り付けた断面図。
【図３】文字、図形に糊付けその上に種を貼り付けた平面図。
【図４】ミシン目を入れた平面図。
【発明を実施するための実施例】
【実施例１】
【０００７】実施例１は、第１シ−トの実施例で図１に示す構成と成っている。図１において
（１）ロ−ル−ペ−パ−、（２）はロ−ル−ペ−パ−の上に形成した糊面、（３）はその      上に配置した種子、（４）はペ−パ−の上に貼り付けた  シ−トである。
【効果】
キャベツを例に取ると今一般的に株間は３０センチ畝間は４０センチ、１ヘクタ−ルでは１００メ−トル割る３０センチ＝３３３個１００メ−トル割る４０センチ＝２５０畝＝８３，２５０個の収穫、是を２センチずつ詰めると３５７個２６３畝９３，９４７個と成り１０，６９７個増、約１２％の収穫増。
【実施例２】
【０００８】実施例２は、第２シ−トの実施例で図２に示す構成と成っている。
図２において（５）はロ−ルペ−パ−（６）はその上に配置した種子、（７）はその上に付けた糊紙である。
【実施例３】
【０００９】実施例３は、第３シ−トの実施例で図３に示す構成と成っている。
図３において（８）は文字，Ｍ  Ａ  Ｋ  Ｉ（９）を表示したシ−ト、（１０）Ｍ  Ａ  Ｋ  Ｉ（９）の部位に塗布した糊の上に貼り付けた種子である。
【実施例４】
【０００１０】実施例４は、第４シ−トの実施例で図４に示す構成と成っている。
これは上記実施例１，２に分割線として構成するミシン目（１１）を入れたものである。
【符号の説明】
【０００１１】１  ロ−ルペ−パ−
２  糊または、接着剤面
３  は、種子
４  は、被いよう  シ−ト
５  は、ロールペ−パ−
６  は、種子
７  は、糊付けた紙
８  は、糊付けた文字  Ｍ  Ａ  Ｋ  Ｉ
９  は、シ−ト
１０は、種子
１１は、分割するミシン目。
【図１】
2012249627.tif 000003
【図２】
2012249627.tif 000004
【図３】
2012249627.tif 000005
【図４】
2012249627.tif 000006
(57)【要約】      （修正有）【課題】ふん便を放置する飼い主を減少させ、環境にもやさしいペット用のふん便処理具を提供する。【解決手段】開放口を縛れるひもＤがついていおり、ネット部Ｃの色は濃い着色とし、とってＡ、外枠Ｂ、ネット部Ｄ、開口を閉じるひもＤを紙素材で一体で構成した使い捨てタイプのふん便処理具。【選択図】図１
2012249623.tif 000002
【特許請求の範囲】
【請求項１】
紙素材の図１Ａ、Ｂ、Ｃ、Ｄ一体式の使い捨てタイプでふん便が飼い主の手に触れないで済み、そのまま破棄できること。
【請求項２】
図１Ｃネット部の色を濃く着色し、ふん便が飼い主の目に直接ふれないで済むこと。
【請求項３】
開放口を縛れる図１Ｄひもがついていること。
【発明の詳細な説明】
【技術分野】
【０００１】この発明は、散歩中ペットのうんちを処理するための道具に関する。
【背景技術】
【０００２】従来のうんち取り具は、図１Ａ、Ｂに示すようにうんちをキャッチするプラステック枠のみで、それに飼い主がビニールを取り付けて使用。使用後はビニール部を取り外し、破棄していた。発明はキャッチ枠のみならず、キャッチネットを一体化且つ、素材をすべて紙にして安価化。さらに図１Ｃネット部分の濃い着色と図１Ｄ密閉用のひも使用で清潔かつ、臭気が軽減された状態で廃棄を可能としたものである。
【発明の概要】
【０００３】・紙素材のペット用のふん便処理具。
・紙を素材とした虫取り網をイメージしたふん便をキャッチするため道具。
・愛犬散歩にはふん便の始末が付き物だが、本処理具を排便時にペットのおしりに設置。
・地面落下時にキャッチし、そのまま本処理具ごと処分を可能とした使い捨てタイプ。
【発明が解決しようとする課題】
【０００４】・ふん便処理を簡略化。
・ふん便に飼い主の手で触れることなく処理。
・ふん便が目に触れず、臭いも抑えられるために飼い主の不快感を軽減。
・使い切りなので本処理具の手入不要。
・プラスチックを素材にした同様の処理具は図１Ａ、Ｂ本体のみの器具であり本体に飼い主がビニール袋を設置させる必要があり、手間とふん便が透明のビニール越しに見えることが不快であり臭気も強い。
【課題を解決するための手段】
【０００５】・ペットの大きさに応じてＳ、Ｍ、Ｌ各サイズを揃えることで排便時にペットのおしりに馴染みやすく、簡易にキャッチが可能。
・本処理具を濃い着色にすること飼い主がペットのふん便を目にしないで済む。
・上部に図１Ｄひもをつけることでふん便をキャッチ後に密閉出来き臭いを軽減できる。
・紙素材で安価を実現。
・使い切りにすることで図１Ａ、Ｂプラスチックやアルミ等の他素材の本体と違い排便時の本体汚れへの手入れが不要。
【発明の効果】
【０００６】処理の煩わしさからふん便を放置する飼い主を減少させ環境にもやさしい。
【図面の簡単な説明】
【０００７】・図１Ａグリップ、図１Ｂ外枠部分は紙を固く加工し強度をつける。
・ふん便を受ける図１Ｃネット部分はキッチンペーパーの様な素材で、ふん便キャッチ後の貫通と色を濃く着色することでふん便が飼い主の目に触れないで済む。
・ネット上部の図１Ｄひもはふん便キャッチ後に縛り、臭気を抑える。
【発明を実施させるための形態】
【０００８】・紙資材による安価化の使い切りタイプ。
・セット販売により購入頻度と負担を軽減。例えばＳサイズは１０枚セットで売価１００円。
「実施形態の効果」
・紙素材で安価に製造できる。
・使い捨てで使用しやすく、手入れの手間も掛らない。
・濃い着色でふん便を目にせず始末出来るため不快感が減る。
・開口をひもで縛れふん便の臭いを抑える。
【符号の説明】
【０００９】図１Ａ  とって          図１Ｂ  外枠
図１Ｃ  ネット部        図１Ｄ  開口を閉じるひも
【図１】
2012249623.tif 000003